(57)【要約】      （修正有）【課題】装飾性を得るために織物を採用する構成において、織物本来の装飾性を表すことができるとともに、織物の劣化を防止して装飾性を長期にわたって維持することができる筆記具を提供する。【解決手段】一端側に筆記部３ａを突出させる軸状の本体部２を有するボールペン１であって、本体部２は、筆記部３ａを一端側に有するリフィルを内装し軸方向に貫通させる内筒部材と、織物により構成され、内筒部材の外周面に設けられて外周面を被覆する装飾部材２０と、外周面に装飾部材２０が設けられた内筒部材を内装し、少なくとも装飾部材２０に対向する部分に透明部を有する外筒部材３０とを備える。【選択図】図１
0003194954.tif 000002
【実用新案登録請求の範囲】
【請求項１】
一端側に筆記部を突出させる軸状の本体部を有する筆記具であって、
前記本体部は、
前記筆記部を一端側に有する芯部を内装し軸方向に貫通させる内筒部材と、
織物により構成され、前記内筒部材の外周面に設けられて前記外周面の少なくとも一部を被覆する装飾部材と、
前記外周面に前記装飾部材が設けられた前記内筒部材を内装し、少なくとも前記装飾部材に対向する部分に透明部を有する外筒部材と、を備える、
ことを特徴とする筆記具。
【請求項２】
前記装飾部材は、前記外周面の全部を被覆するように設けられ、
前記外筒部材は、全体的に透明な部材である、
ことを特徴とする請求項１に記載の筆記具。
【請求項３】
前記本体部の前記筆記部が突出する側と反対側の端部に設けられ、前記本体部の外周側において前記本体部の一端側に向けて延出されるクリップ部を有する後端部材を備え、
前記装飾部材は、前記外周面の周方向の１箇所に、前記外周面に対する巻回方向の縁端部が前記本体部の軸方向に沿う直線状に現れるように設けられており、
前記後端部材は、前記本体部の周方向について、前記クリップ部を前記縁端部の位置に一致させるように設けられている、
ことを特徴とする請求項１または請求項２に記載の筆記具。
【請求項４】
前記後端部材は、前記内筒部材に対してネジ構造により固定されている、
ことを特徴とする請求項３に記載の筆記具。
【請求項５】
前記透明部は、横縞状、縦縞状、および螺旋状のうちいずれか一つの態様で設けられている、
ことを特徴とする請求項１に記載の筆記具。
【考案の詳細な説明】
【技術分野】
【０００１】
本考案は、ボールペンやシャープペンシル等の筆記具に関する。
【背景技術】
【０００２】
日本には、例えば博多織や西陣織等の様々な伝統的な織物が存在する。こうした伝統的な織物は、日本が世界に誇りうる高度な織物技術を象徴する伝統的工芸品であり、このような伝統的な織物に幅広い世代が日常的に触れることは、日本の歴史や伝統文化、伝統的工芸品産業の普及・発展のために有益である。
【０００３】
そこで、従来、博多織等の伝統的な織物は、主な用途である帯以外に、財布やバッグ等の小物類やネクタイ等、日常で使用される様々な品物に利用されている。特に、博多織は、蚕の繭からとった絹糸を編んだものであって、繊細で美しい光沢を有する艶やかで優雅な織物であり、その高い装飾性等から、種々の品物に応用されている。
【０００４】
このような博多織等の伝統的な織物を、日常的によく使用される品物である筆記具において、その装飾に用いることが考えられる。筆記具の装飾に織物を適用する場合、例えば、筆記具の軸状の本体部を織物により被覆することが考えられる。すなわち、筆記具の本体部の外周に織物を巻き付けて貼着することにより、織物を筆記具の外装を装う装飾部材として用いることが考えられる。
【０００５】
しかしながら、筆記具の本体部は手によって握られる部分であることから、その本体部の外周に織物を貼着する構成の場合、織物は直接触れられることになるので、織物の編みの解れや摩耗等といった織物の劣化が懸念される。こうした織物の劣化は、繊細で美しい織物本来の装飾性が長期にわたって保持されることを妨げる原因となる。
【０００６】
そこで、筆記具において織物を装飾に用いるに際し、例えば、特許文献１に記載されている技術を用いることが考えられる。特許文献１には、筆記具の本体部である軸部に中空の収容部を備えた構成において、収容部を透明な部材で構成するとともに、外周面に広告文字が表示された広告筒を収容部に収容する技術が開示されている。すなわち、特許文献１に記載された筆記具において、軸部に設けられた透明な収容部内に織物を収容することで、収容部を構成する透明な部材を介して織物を外部から見えるようにし、織物を装飾部材として適用する。
【先行技術文献】
【特許文献】
【０００７】
【特許文献１】特開平７−２０５５８９号公報
【考案の概要】
【考案が解決しようとする課題】
【０００８】
確かに、特許文献１に記載された構成を用いることにより、筆記具において、織物に直接触れることなく、織物による装飾性を得ることができると考えられる。しかしながら、特許文献１の技術によれば、次のような問題がある。
【０００９】
博多織等の織物は、繊細で柔らかく、形態が安定したものではない。このため、筆記具において織物を装飾に用いるに際し、特許文献１の筆記具が備える収容部のような単なる中空部内に織物を収容しただけでは、織物が持つ本来の装飾性を十分に表すことが困難である。また、単なる中空部内に織物を収容した構成の場合、織物が持つ形態の不安定性等から、織物が中空部内で動いたり変形したりして中空部の内周面等の内壁面に衝突することになる。織物が中空部の内壁面に衝突することは、織物の劣化を早める原因となり得る。
【００１０】
本考案は、上記のような問題に鑑みてなされたものであり、装飾性を得るために織物を採用する構成において、織物本来の装飾性を表すことができるとともに、織物の劣化を防止して装飾性を長期にわたって維持することができる筆記具を提供することを目的とする。
【課題を解決するための手段】
【００１１】
本考案のうち第１の態様に係る筆記具は、一端側に筆記部を突出させる軸状の本体部を有する筆記具であって、前記本体部は、前記筆記部を一端側に有する芯部を内装し軸方向に貫通させる内筒部材と、織物により構成され、前記内筒部材の外周面に設けられて前記外周面の少なくとも一部を被覆する装飾部材と、前記外周面に前記装飾部材が設けられた前記内筒部材を内装し、少なくとも前記装飾部材に対向する部分に透明部を有する外筒部材と、を備えるものである。
【００１２】
本考案のうち第２の態様に係る筆記具は、第１の態様に係る筆記具において、前記装飾部材は、前記外周面の全部を被覆するように設けられ、前記外筒部材は、全体的に透明な部材であるものである。
【００１３】
本考案のうち第３の態様に係る筆記具は、第１の態様または第２の態様に係る筆記具において、前記本体部の前記筆記部が突出する側と反対側の端部に設けられ、前記本体部の外周側において前記本体部の一端側に向けて延出されるクリップ部を有する後端部材を備え、前記装飾部材は、前記外周面の周方向の１箇所に、前記外周面に対する巻回方向の縁端部が前記本体部の軸方向に沿う直線状に現れるように設けられており、前記後端部材は、前記本体部の周方向について、前記クリップ部を前記縁端部の位置に一致させるように設けられているものである。
【００１４】
本考案のうち第４の態様に係る筆記具は、第３の態様に係る筆記具において、前記後端部材は、前記内筒部材に対してネジ構造により固定されているものである。
【００１５】
本考案のうち第５の態様に係る筆記具は、第１の態様に係る筆記具において、前記透明部は、横縞状、縦縞状、および螺旋状のうちいずれか一つの態様で設けられているものである。
【考案の効果】
【００１６】
本考案によれば、装飾性を得るために織物を採用する構成において、織物本来の装飾性を表すことができるとともに、織物の劣化を防止して装飾性を長期にわたって維持することができる。
【図面の簡単な説明】
【００１７】
【図１】本考案の一実施形態に係る筆記具を示す斜視図である。
【図２】本考案の一実施形態に係る筆記具を示す分解斜視図である。
【図３】本考案の一実施形態に係る筆記具の一部を示す縦断面図である。
【図４】図３におけるＡ−Ａ矢視断面図である。
【図５】本考案の一実施形態に係る筆記具の一部を示す斜視図である。
【図６】本考案の一実施形態に係る筆記具の本体部の変形例を示す図である。
【考案を実施するための形態】
【００１８】
本考案は、筆記具において、博多織等の織物を装飾部材として適用させるに際し、内筒部材と、透明部を有する外筒部材とによる２重の筒構造を採用し、内筒部材の外周面を装飾部材による被覆面とすることにより、織物が有する本来の美しさを十分に表すことができるとともに、織物の劣化を防止して長期にわたって高い装飾性を保持しようとするものである。以下、本考案の実施の形態を説明する。
【００１９】
図１および図２に示すように、本実施形態に係る筆記具としてのボールペン１は、一端側に筆記部３ａを突出させる軸状の本体部２を有する。本実施形態のボールペン１は、本体部２の後端側に設けられたノック体６を押圧操作（ノック操作）するたびに、筆記部３ａの本体部２からの突出と収納とが交互に繰り返されるいわゆるノック式のボールペンである。以下の説明では、ボールペン１において、軸状の本体部２の長手方向（軸方向）のうち、筆記部３ａが突出する側（図１において下側）を先端側とし、その反対側（図１において上側）を後端側とする。また、ボールペン１において、本体部２の軸方向に沿う方向を単に「軸方向」とする。
【００２０】
本実施形態のボールペン１において、本体部２は、その長手方向を中心軸方向とする円筒状の外形をなすとともに、長手方向の両端側を開口させる中空部を有する。本体部２の内部には、筆記部３ａを一端側に有する芯部であるリフィル（インク芯）３が、円筒状の本体部２に対して同心位置に設けられる。
【００２１】
本体部２の先端側には、筆記部３ａを突出させる先端部材４が設けられている。先端部材４は、円錐状の外形をなすとともに、中心軸方向の両端側を開口させた形状を有する部材である。先端部材４は、本体部２側となる基部側、つまり円錐状の外形における底面側の外径を、本体部２の外径と略同径とし、本体部２の先端側において本体部２に対して同軸状に設けられ、ボールペン１の先端部を、テーパ状に徐々に縮径させて先細り形状とする。
【００２２】
先端部材４は、その内部空間に、本体部２の先端側から突出するリフィル３の先端部を貫通させることで、円錐状の外形における頂部側に開口する先端側開口４ａから、リフィル３の筆記部３ａを突出させる。つまり、筆記部３ａは、ノック体６の押圧操作のたびに、先端部材４の先端側開口４ａから出没する。
【００２３】
本体部２の後端側の端部には、後端部材５が設けられている。後端部材５は、本体部２の後端部において本体部２に対して同軸状に設けられる略筒状の基部５ａと、基部５ａから延出されるクリップ部５ｂとを有する。本実施形態では、後端部材５は、基部５ａおよびクリップ部５ｂを有する一体の部材として構成されている。
【００２４】
後端部材５の基部５ａは、本体部２の内部空間内に収容された状態となる収容部５ｃと、収容部５ｃに対する拡径部分であって本体部２の外部に露出した状態となる拡径部５ｄとを有する。拡径部５ｄは、本体部２側の外径を、本体部２の外径と略同径とし、ボールペン１の後端側にかけて徐々に縮径し、略テーパ形状に沿う外形を有する。
【００２５】
クリップ部５ｂは、基部５ａの拡径部５ｄの周方向の所定の位置から、本体部２の外周側において本体部２の先端側に向けて延出された略帯板状の部分である。クリップ部５ｂは、拡径部５ｄから径方向外側に突出するクリップ基部５ｅと、クリップ基部５ｅから本体部２に対して略平行に本体部２の先端側に向けて直線状に延設される略帯板状のクリップ本体部５ｆとを含む。
【００２６】
クリップ部５ｂは、本体部２の外周面２ａとの間の隙間を挟持空間とし、本体部２とともに挟持部を構成する。クリップ本体部５ｆの先端部の内側（本体部２側）には、本体部２の外周面２ａに接触ないし略接触する挟持用突起５ｇが設けられている。クリップ部５ｂは、弾性変形することで外周面２ａとの間の隙間の大きさを変化させる。クリップ部５ｂは、主にポケットクリップとして用いられる。
【００２７】
後端部材５の基部５ａは、軸方向に沿う長手方向の両端側を開口させる中空部を有する。基部５ａの内部には、ノック体６が設けられている。ノック体６は、略筒状の外形を有する部材であり、円筒状の基部５ａに対して同軸配置され、基部５ａの後端側の開口から一部を出没させるように、基部５ａに対して所定の範囲で相対移動可能に設けられている。ノック体６は、押圧操作（ノック操作）を受けるたびに、基部５ａの後端側の開口から一部を出没させるように、つまり基部５ａの後端側の開口からの突出量を変化させるように動作する。
【００２８】
図３および図４に示すように、ノック体６の先端側、つまり基部５ａから突出する側と反対側には、ノック機構形状部７が設けられている。なお、図４においては、ノック機構形状部７の具体的な形状の図示を省略している。ノック機構形状部７は、係合回転部材８と、円筒状の基部５ａの内周面に設けられたカム溝（図示略）とともに、ノック式のボールペン１が備えるノック機構を構成する。
【００２９】
ノック機構は、リフィル３の先端側に設けられたコイルばね９による付勢力を用いて、ノック体６の押圧操作にともなって回転カムの作用によりリフィル３の先端側の筆記部３ａを先端側開口４ａから出没させる機構である。かかるノック機構は周知技術であるためその詳細な説明は省略するが、ノック機構の構成は概略的には次のとおりである。
【００３０】
ノック機構形状部７は、ノック体６とは別体の部材により構成されており、ノック体６が押圧操作を受けることにともなって、ノック体６と一体的に移動するように設けられている。係合回転部材８は、後端部材５の基部５ａ内において、ノック機構形状部７の先端側（図３において下側）に、ノック機構形状部７と係合した状態で設けられている。
【００３１】
基部５ａの内周面のカム溝は、ノック体６と一体的に移動することで基部５ａに対して軸方向に移動するノック機構形状部７について、基部５ａに対する相対回転を規制してノック機構形状部７の移動をガイドする。また、基部５ａのカム溝は、基部５ａ内における係合回転部材８の軸方向の移動、および軸方向を回転軸方向とする回転方向の移動をガイドする。
【００３２】
係合回転部材８は、リフィル３の先端側の部分に外嵌されたコイルばね９によってリフィル３を介してノック機構形状部７側に押圧付勢されており、ノック機構形状部７の軸方向の移動に追従して移動する。コイルばね９は、リフィル３の先端側の部分を貫通させ、後端側をリフィル３の外周面に設けられた係止突起３ｂに係止させるとともに、先端側を先端部材４の内周面に設けられた所定の係止部に係止させることで圧縮状態となり、リフィル３をノック機構形状部７に対して押圧付勢する。なお、係止突起３ｂは、リフィル３の外周面において互いに反対側となる２箇所に、半円弧状の突起部分として設けられている。係合回転部材８には、リフィル３の後端部を嵌入させる筒状の凹陥部８ａが設けられている。このように、係合回転部材８は、コイルばね９により後端側に付勢されたリフィル３の後端部を受け入れ、ノック機構形状部７側に押し付けられた状態となっている。
【００３３】
係合回転部材８は、基部５ａのカム溝およびノック機構形状部７に対する係合作用により、ノック体６の押圧操作にともなう往復移動のたびに、基部５ａに対して所定角度回動するとともに、基部５ａに対する軸方向の停止位置（係止位置）を、第１の位置と第１の位置よりも後端側の第２の位置とで交互に変化させながら動作する。このようなカム溝およびノック機構形状部７に対する係合作用による係合回転部材８の動作は、コイルばね９の付勢力を利用した自動的な動作として行われる。係合回転部材８が第１の位置に位置する状態が、リフィル３の筆記部３ａが先端部材４の先端側開口４ａから突出した状態に対応し、係合回転部材８が第２の位置に位置する状態が、筆記部３ａが先端部材４内に収納された状態に対応する。
【００３４】
以上のようなノック機構を含む構成により、ノック体６を押圧操作するたびに、筆記部３ａが本体部２から突出した状態、つまりボールペン１が筆記可能な状態と、筆記部３ａが本体部２内に収納された状態とが、自動的に交互に切り替わる。
【００３５】
次に、本体部２について詳細に説明する。本体部２は、内筒部材１０と、内筒部材１０に巻き付けられる装飾部材２０と、透明な外筒部材３０とを備える。本体部２は、内筒部材１０に装飾部材２０を巻き付けることで飾り筒２５（図５参照）を構成し、この飾り筒２５を、本体部２の外装部分を構成する透明な外筒部材３０内に収容することで、装飾部材２０の装飾性を外部に表した構成を備える。
【００３６】
内筒部材１０は、全体として長手方向の両端側を開口させた筒状の部材であり、リフィル３を内装し軸方向に貫通させる。内筒部材１０は、本体部２の内周側の部分を構成し、本体部２においてリフィル３が設けられる中空部を構成する。
【００３７】
内筒部材１０は、その長手方向の略全体にわたり、円筒面である外周面１１を有する。内筒部材１０の後端部には、外周面１１をなす本体部分（以下単に「本体部分」という。）に対する拡径部分であって、鍔状にわずかに突出したフランジ部１２が設けられている。フランジ部１２は、内筒部材１０の後端側の開口縁端に設けられている。
【００３８】
内筒部材１０の先端部には、内筒部材１０に先端部材４を固定させるための雄ネジ部１３が設けられている。雄ネジ部１３は、内筒部材１０において本体部分に対する縮径部分として先端側に筒状に突設された部分であり、その筒状の外周面にネジ溝が形成された部分である。これに対し、先端部材４においては、後端部の開口部の内周面に、雄ネジ部１３に螺合する雌ネジ部４ｂが設けられている。内筒部材１０の雄ネジ部１３が先端部材４の雌ネジ部４ｂにねじ込まれることで、内筒部材１０と先端部材４とが互いにネジ係合する。このように、先端部材４は、内筒部材１０に対してネジ構造により固定されている。
【００３９】
また、内筒部材１０の後端部には、内筒部材１０に後端部材５を固定させるための雌ネジ部１４が設けられている。雌ネジ部１４は、内筒部材１０において後端部の開口部の内周面にネジ溝が形成された部分である。これに対し、後端部材５においては、基部５ａにおける収容部５ｃの後端部に、雌ネジ部１４が螺合する雄ネジ部５ｈが設けられている。内筒部材１０の雌ネジ部１４に後端部材５の雄ネジ部５ｈがねじ込まれることで、内筒部材１０と、収容部５ｃを内筒部材１０の内部に挿入させた状態の後端部材５とが互いにネジ係合する。このように、後端部材５は、内筒部材１０に対してネジ構造により固定されている。
【００４０】
装飾部材２０は、織物により構成され、内筒部材１０の外周面１１に設けられて外周面１１を被覆する。本実施形態では、装飾部材２０は、博多織の織物からなる矩形シート状の部材である。また、装飾部材２０は、内筒部材１０の外周面１１の全部を被覆するように設けられている。
【００４１】
装飾部材２０は、内筒部材１０に巻き付けられて外周面１１に貼設された状態で、外周面１１を全体的に被覆する。外周面１１の周面形状に沿って外周面１１に対して隙間なく貼り付けられた状態で設けられている。したがって、装飾部材２０は、長辺の寸法を、内筒部材１０の外周面１１の長さ寸法と略同じ寸法とする。また、装飾部材２０は、短辺の寸法を、内筒部材１０における本体部分の周方向の寸法よりもわずかに大きな寸法とする。すなわち、装飾部材２０は、外周面１１に対して１周以上巻き付けられ、短辺方向の縁端部同士をわずかに重ねた状態で貼設されている。
【００４２】
このように内筒部材１０の外周面１１に対して装飾部材２０が設けられた構成においては、装飾部材２０の巻付け方向である短辺方向の一方の端部となる一方の長辺縁端部２１が、装飾部材２０の巻回方向の終端縁部となり、軸方向に沿う直線状のラインとして、外周面１１の長手方向の全体にわたって現れている。すなわち、装飾部材２０は、内筒部材１０の外周面１１の周方向の１箇所に、外周面１１に対する巻回方向の縁端部、つまり短辺方向の重なり部分における外側に位置する方の長辺縁端部２１が本体部２の軸方向に沿う直線状に現れるように設けられている。
【００４３】
装飾部材２０は、内筒部材１０の外周面１１に対して、例えば接着剤や両面テープ等が用いられて貼設されて固定された状態で設けられる。また、外周面１１に巻き付けられた装飾部材２０については、内筒部材１０の後端部に設けられたフランジ部１２が、内筒部材１０に対する装飾部材２０の後端側への移動を規制する係止部として機能する。つまり、フランジ部１２の段差面１２ａには、装飾部材２０の長辺方向の一方の端部となる一方の（後端側の）短辺縁端部２２が接触し、これにより、装飾部材２０の後端側へのズレが規制される。
【００４４】
以上のように、内筒部材１０の外周面１１に装飾部材２０が設けられることにより、本実施形態のボールペン１が備える飾り筒２５が構成される（図５参照）。そして、飾り筒２５においては、装飾部材２０の長辺縁端部２１により軸方向の直線状の縁端ラインが形成される。
【００４５】
なお、本実施形態では、装飾部材２０は、短辺方向の縁端部同士を重ねた状態で設けられているが、これに限定されるものではない。装飾部材２０は、短辺方向の縁端部同士の重なり部分を有することなく、短辺方向の両方の縁端部同士を突き合わせた状態、あるいは縁端部間にわずかな隙間を隔てた状態で設けられてもよい。これらの場合、飾り筒２５においては、上記のような縁端ラインに代えて、装飾部材２０の長辺縁端部同士が合わさった直線状の継ぎ目ライン、あるいはスリットが形成されることになる。
【００４６】
外筒部材３０は、内筒部材１０と略同じ長さの両端開口の円筒状の部材であり、外周面１１に装飾部材２０が設けられた内筒部材１０、つまり飾り筒２５を内装する。外筒部材３０は、その内周面３１に飾り筒２５の装飾部材２０の表面が接触あるいは略接触するか、内周面３１と装飾部材２０の表面との間にわずかな隙間を隔てる程度の内径寸法を有する。外筒部材３０の外周面３２は、本体部２の外周面２ａとなる。
【００４７】
外筒部材３０は、全体的に透明な部材である。したがって、外筒部材３０に飾り筒２５が収納された状態において、外筒部材３０を介して装飾部材２０がボールペン１の外部に現れた状態となる。
【００４８】
以上のような構成を備える本実施形態のボールペン１の組立構造について説明する。ノック体６、ノック機構形状部７、および係合回転部材８が設けられた後端部材５に対して、飾り筒２５が後端部材５の雄ネジ部５ｈと内筒部材１０の雌ネジ部１４とによるネジ係合によって固定される。かかる構造体に対して、外筒部材３０が、その内部に飾り筒２５を挿入させた状態でセットされる。
【００４９】
外筒部材３０は、後端側の開口端面である後端面３３を、後端部材５の拡径部５ｄの先端側の面である段差面５ｊに接触させる。すなわち、後端部材５の段差面５ｊは、内筒部材１０のフランジ部１２よりも大径の面であり、内筒部材１０が後端部材５に固定された状態において、周縁部分をフランジ部１２の外周側に円環状にはみ出させ、この段差面５ｊの周縁部分に、外筒部材３０の後端面３３が接触する。
【００５０】
ここで、後端部材５における拡径部５ｄとクリップ部５ｂとの間の部分には、外筒部材３０の後端部材５に対する相対的な回転を規制する嵌合凸部５ｋが設けられている。これに対し、外筒部材３０においては、後端面３３に、嵌合凹部３４が設けられている。嵌合凹部３４は、外筒部材３０の後端部が矩形状に切り欠かれた部分であり、外筒部材３０の後端面３３において周方向の１箇所に設けられている。嵌合凸部５ｋは、外筒部材３０の嵌合凹部３４に嵌合するような矩形状の断面形状を有する部分である。
【００５１】
また、後端部材５に対して飾り筒２５が固定された構造体に対しては、外筒部材３０とともに、リフィル３がセットされる。リフィル３は、先端側にコイルばね９を外嵌させるとともに、後端部を係合回転部材８の凹陥部８ａに嵌入させた状態でセットされる。
【００５２】
このように後端部材５および飾り筒２５の構造体に対して外筒部材３０およびリフィル３がセットされた状態において、リフィル３の先端側から、先端部材４が、その内部にリフィル３を挿入させ、雌ネジ部４ｂによる内筒部材１０の雄ネジ部１３に対するネジ係合によって、飾り筒２５を構成する内筒部材１０の先端側に固定される。ここで、先端部材４は、コイルばね９による付勢力を受けた状態で内筒部材１０に固定される。先端部材４がコイルばね９の付勢力を受けることで、コイルばね９の付勢力がリフィル３を介して係合回転部材８に伝達される。
【００５３】
先端部材４は、内筒部材１０の先端側に固定された状態において、円錐状の外形における底面に相当する環状の面であって後端側の開口端面である後端面４ｃを、外筒部材３０の先端側の開口端面である先端面３５に接触させる。すなわち、先端部材４の後端面４ｃは、飾り筒２５における装飾部材２０の巻回部分よりも大径の面であり、先端部材４が内筒部材１０に固定された状態において、周縁部分を飾り筒２５の外周側に円環状にはみ出させ、この後端面４ｃの周縁部分に、外筒部材３０の先端面３５が接触する。
【００５４】
したがって、ボールペン１においては、外筒部材３０は、飾り筒２５を収納するとともに、後端部材５の段差面５ｊと、先端部材４の後端面４ｃとにより、軸方向の両側から挟持された状態となる。言い換えると、後端部材５および先端部材４は、外筒部材３０を軸方向の両側から挟持する挟持体であり、後端部材５の段差面５ｊおよび先端部材４の後端面４ｃは、外筒部材３０を軸方向の両側から挟持する挟持面となる。
【００５５】
また、外筒部材３０の先端側の挟持面となる先端部材４の後端面４ｃには、外筒部材３０の内径に対応した環状突部４ｄが設けられている。環状突部４ｄは、環状の後端面４ｃに対して同心状に設けられ、後端面４ｃからわずかに突出する円環状の突条部分である。
【００５６】
環状突部４ｄは、その外径の寸法を外筒部材３０の内径の寸法と略同じとし、環状突部４ｄの後端面４ｃに先端面３５を接触させる外筒部材３０に嵌入した状態となる。つまり、環状突部４ｄは、その外周面を外筒部材３０の先端側の内周面に接触させた状態で外筒部材３０に先端側から嵌合し、外筒部材３０と先端部材４とを互いに同心状に位置決めさせる。なお、環状突部４ｄは、その内径の寸法を内筒部材１０の本体部分の外径の寸法と略同じとし、先端部材４が内筒部材１０に固定された状態において、内筒部材１０の本体部分の先端側を嵌入させる。
【００５７】
また、本実施形態のボールペン１においては、後端部材５は、本体部２の周方向について、クリップ部５ｂを装飾部材２０の縁端部の位置に一致させるように設けられている。すなわち、飾り筒２５において装飾部材２０の長辺縁端部２１によって軸方向に沿う縁端ラインが形成された構成において、後端部材５が内筒部材１０に固定された状態で、クリップ部５ｂが、本体部２の周方向について長辺縁端部２１の位置に一致するように設けられている。つまり、後端部材５は、本体部２の周方向について、クリップ部５ｂの装飾部材２０への投影範囲内に長辺縁端部２１が位置するように設けられる。
【００５８】
このような構成においては、外筒部材３０の外側に位置するクリップ部５ｂは、飾り筒２５における長辺縁端部２１に対して、外筒部材３０を介して本体部２の径方向外側に位置する。したがって、透明な外筒部材３０を介して装飾部材２０が外部に現れる構成において、長辺縁端部２１の後側の部分にクリップ部５ｂが重なり、長辺縁端部２１の後側の部分がクリップ部５ｂにより覆われた状態となる。
【００５９】
そして、本実施形態では、後端部材５は、上述のとおり内筒部材１０に対してネジ構造により固定されている。このため、後端部材５と内筒部材１０との間の螺合構造におけるネジ形状、つまり雄ネジ部５ｈおよび雌ネジ部１４のネジ形状により、後端部材５が内筒部材１０に固定された状態で、上述したように本体部２の周方向についてクリップ部５ｂが長辺縁端部２１の位置に止まるように、クリップ部５ｂと長辺縁端部２１の位置関係が調整される。
【００６０】
以上のような組立構造により、内筒部材１０に装飾部材２０を設けた飾り筒２５と、飾り筒２５を内装する外筒部材３０とによる２重筒構造を備えたノック式のボールペン１が構成される。
【００６１】
以上のような構成を備える本実施形態のボールペン１によれば、装飾性を得るために織物を採用する構成において、織物本来の装飾性を表すことができるとともに、織物の劣化を防止して装飾性を長期にわたって維持することができる。
【００６２】
すなわち、ボールペン１において、柔らかく形態が安定しない織物からなる装飾部材２０は、内筒部材１０の外周面１１に巻き付けられた状態で貼設される。つまり、内筒部材１０の外周面１１が、装飾部材２０を貼り付ける貼設面として用いられている。このため、装飾部材２０の形態を外周面１１の円筒面形状にならって安定させることができ、織物の柄や質感等を安定して鮮明に表現することが可能となる。また、装飾部材２０は外周面１１に貼設されることから、外筒部材３０内において装飾部材２０が動いたり変形したりすることがないため、装飾部材２０が外筒部材３０の内周面に衝突することによる織物の劣化を防止することができる。
【００６３】
また、内筒部材１０の外周面１１に設けられた装飾部材２０は、外筒部材３０により覆われていることから、本体部２を握る手が装飾部材２０に直接触れることがないため、織物の編みの解れや摩耗等といった織物の劣化を防止することができる。以上のように、本実施形態のボールペン１によれば、織物の劣化を防止することができ、繊細で美しい織物本来の装飾性を長期にわたって保持することが可能となる。
【００６４】
また、本実施形態のボールペン１においては、装飾部材２０は、内筒部材１０の外周面１１の全部を被覆するように設けられ、外筒部材３０として、全体的に透明な部材が用いられている。このような構成によれば、本体部２の外周面２ａに対して全体的に装飾部材２０を顕出させることが可能となり、織物が持つ連続的な模様や色彩等を十分に表現することができ、高い装飾性を得ることができる。
【００６５】
ただし、装飾部材２０は、内筒部材１０において外周面１１の少なくとも一部を被覆するように設けられればよく、また、外筒部材３０は、全体的に透明な部材に限らず、少なくとも装飾部材２０に対向する部分、つまり装飾部材２０を外側から覆う部分に透明部を有するものであればよい。すなわち、装飾部材２０については、例えば、内筒部材１０に対して全周にわたって巻き付けられることなく、外周面１１の一部を被覆するように設けられてもよく、また、外筒部材３０については、その透明部によって装飾部材２０の全部を外部に顕出させる構成でなくてもよい。
【００６６】
したがって、本体部２の構成としては、例えば、図６（ａ）に示すボールペン１Ａのように、外筒部材３０が周方向に沿う帯状の透明部４１を軸方向に所定の間隔で複数有し、飾り筒２５の装飾部材２０が外筒部材３０の外部に横縞模様として現れる構成であってもよい。図６（ａ）に示す例では、外筒部材３０の複数の透明部４１は、横縞状の態様で設けられている。つまり、ボールペン１Ａの外筒部材３０においては、周方向に沿う帯状の透明部４１および非透明部４２が軸方向に交互に設けられている。なお、非透明部４２は、例えば、全体的に透明な外筒部材３０において塗装を施すこと等によって設けられる。
【００６７】
また、図６（ｂ）に示すボールペン１Ｂのように、外筒部材３０が軸方向に沿う帯状の透明部４３を周方向に所定の間隔で複数有し、飾り筒２５の装飾部材２０が外筒部材３０の外部に縦縞模様として現れる構成であってもよい。図６（ｂ）に示す例では、外筒部材３０の複数の透明部４３は、縦縞状の態様で設けられている。つまり、ボールペン１Ｂの外筒部材３０においては、軸方向に沿う帯状の透明部４３および非透明部４４が周方向に交互に設けられている。
【００６８】
また、図６（ｃ）に示すボールペン１Ｃのように、外筒部材３０が軸方向を中心軸方向とする螺旋帯状の透明部４５を有し、飾り筒２５の装飾部材２０が外筒部材３０の外部に螺旋模様として現れる構成であってもよい。図６（ｃ）に示す例では、外筒部材３０の透明部４５は、螺旋状の態様で設けられている。つまり、ボールペン１Ｃの外筒部材３０においては、螺旋帯状の透明部４５および非透明部４６が軸方向に並んで設けられている。
【００６９】
このように、本体部２は、その外周面２ａにおいて部分的に装飾部材２０を外部に顕出させる構成であってもよい。そして、例えば図６（ａ）、（ｂ）、（ｃ）の各図に示すように、外筒部材３０が有する透明部は、横縞状、縦縞状、および螺旋状のうちいずれか一つの態様で設けられる。
【００７０】
また、本実施形態のボールペン１は、後端部材５のクリップ部５ｂが、本体部２の周方向について、飾り筒２５における装飾部材２０の長辺縁端部２１の位置に一致するように配置されている。このような構成によれば、装飾部材２０において外部に現れる長辺縁端部２１の後側の一部をクリップ部５ｂによって外筒部材３０の外周側から覆うことができるとともに、クリップ部５ｂの延設方向と長辺縁端部２１による軸方向に沿う縁端ラインが延びる方向とを一致させることができる。これにより、長辺縁端部２１が存在することによる装飾部材２０の柄の不連続感を低減することができるとともに、クリップ部５ｂと長辺縁端部２１との一体感を得ることができ、長辺縁端部２１が存在することによる装飾性の低下を防止することができる。
【００７１】
さらに、本実施形態のボールペン１は、クリップ部５ｂを有する後端部材５と、飾り筒２５を構成する内筒部材１０との固定構造として、ネジ構造を採用する。このため、本体部２の周方向についてクリップ部５ｂが長辺縁端部２１の位置に対応するように設けられる構成において、クリップ部５ｂと長辺縁端部２１との位置関係を、ネジ固定によって確実に保持することができる。
【００７２】
以上説明した本考案の実施の形態では、本考案に係る筆記具として、ノック式ボールペンを例にとって説明したが、本考案に係る筆記具は、これに限定されず、他の方式のボールペン、シャープペンシル、万年筆等、種々の筆記具に適用可能である。また、本考案に係る装飾部材を構成する織物としては、博多織のほか、西陣織、絣、紬織等の他の織物であってもよい。
【符号の説明】
【００７３】
１    ボールペン（筆記具）
２    本体部
３    リフィル（芯部）
３ａ  筆記部
５    後端部材
５ｂ  クリップ部
５ｈ  雄ネジ部
１０  内筒部材
１４  雌ネジ部
１１  外周面
２０  装飾部材
２１  長辺縁端部
３０  外筒部材
４１  透明部
４３  透明部
４５  透明部
【図１】
0003194954.tif 000003
【図２】
0003194954.tif 000004
【図３】
0003194954.tif 000005
【図４】
0003194954.tif 000006
【図５】
0003194954.tif 000007
【図６】
0003194954.tif 000008